(57)【要約】【課題】  本発明は、足や足指にフィットすることが可能な身体障害者用シューズ、およびシューズ、並びにサンダルに関するものである。【解決手段】  身体障害者用シューズは、前部甲被と、後部甲被と、前記前部甲被および後部甲被によって覆われる靴底と、前記靴底から前記各甲被を着脱するファスナとから少なくとも構成されている。前部甲被と後部甲被とは、一部で繋がっている。また、前記後部甲被には、足を入れる履き口が備えられている。【選択図】    図１
2006006577.tif 000002
【特許請求の範囲】
【請求項１】
前部甲被と、
前記前部甲被と一部で繋がっているとともに、足を入れる履き口を備えた後部甲被と、
前記前部甲被と後部甲被によって覆われる靴底と、
前記前部甲被および後部甲被が前記靴底から別々に着脱可能にする複数のファスナと、
から少なくとも構成されていることを特徴とする身体障害者用シューズ。
【請求項２】
前部甲被と、
前記前部甲被と一部で繋がっているとともに、足を入れる履き口を備えた後部甲被と、
前記前部甲被と後部甲被によって覆われる靴底と、
前記前部甲被を前記靴底から着脱可能にするファスナと、
から少なくとも構成されていることを特徴とする身体障害者用シューズ。
【請求項３】
前部甲被と、
前記前部甲被と一部で繋がっているとともに、足を入れる履き口を備えた後部甲被と、
前記前部甲被と後部甲被によって覆われる靴底と、
前記後部甲被を前記靴底から着脱可能にするファスナと、
から少なくとも構成されていることを特徴とする身体障害者用シューズ。
【請求項４】
前記前部甲被の上部には、上部甲被が設けられ、二つのファスナによって前記履き口を大きくする際に、一部が前部甲被と繋がっていることを特徴とする請求項１から請求項３のいずれか１項に記載されている身体障害者用シューズ。
【請求項５】
前記前部甲被の上部には、上部甲被が設けられ、一つのファスナによって、前記上部甲被を二分して前記履き口をより大きくできることを特徴とする請求項１から請求項３のいずれか１項に記載されている身体障害者用シューズ。
【請求項６】
前記後部甲被は、最後部において、後部マジックファスナによって開閉できることを特徴とする請求項１から請求項５のいずれか１項に記載されている身体障害者用シューズ。
【請求項７】
前記靴底の足載置面には、鼻緒が設けられていることを特徴とする請求項１から請求項６のいずれか１項に記載されている身体障害者用シューズ。
【請求項８】
前記鼻緒は、各指の間に入る指鼻緒が設けられていることを特徴とする請求項１から請求項７のいずれか１項に記載されている身体障害者用シューズ。
【請求項９】
前記鼻緒の結び目は、前記靴底の開口部の下部に設けられた結び目収納凹部に収納されることを特徴とする請求項７または請求項８に記載されている身体障害者用シューズ。
【請求項１０】
前記靴底の開口部は、指の数より多く設けられ、指鼻緒の位置を変えることができることを特徴とする請求項７から請求項９のいずれか１項に記載されている身体障害者用シューズ。
【請求項１１】
室内履きであることを特徴とする請求項１から請求項１０のいずれか１項に記載された身体障害者用シューズ。
【請求項１２】
前部甲被と、
前記前部甲被と繋がっている足を入れる履き口を備えた後部甲被と、
前記前部甲被と後部甲被によって覆われる靴底と、
前記靴底の足載置面には、各指の間に入る指鼻緒を備えた鼻緒と、
からなることを特徴とするシューズ。
【請求項１３】
前記鼻緒および指鼻緒の結び目は、前記靴底の開口部の下部に設けられた結び目収納凹部に収納されていることを特徴とする請求項１２に記載されているシューズ。
【請求項１４】
前記靴底の開口部は、指の数より多く設けられ、指鼻緒の位置を任意に変えることができることを特徴とする請求項１２または請求項１３に記載されているシューズ。
【請求項１５】
底部材と、
前記底部材に設けられ、各指の間に入る指鼻緒が設けられている鼻緒と、
を少なくとも備えていることを特徴とするサンダル。
【請求項１６】
前記鼻緒の結び目は、前記底部材における開口部の下部に設けられた結び目収納凹部に収納されることを特徴とする請求項１５に記載されているサンダル。
【請求項１７】
前記底部材の開口部は、指の数より多く設けられ、指鼻緒の位置を変えることができることを特徴とする請求項１５または請求項１６に記載されているサンダル。
【発明の詳細な説明】
【技術分野】
【０００１】
本発明は、足や足指にフィットすることが可能な身体障害者用シューズ、およびシューズ、並びにサンダルに関するものである。また、本発明は、たとえば、脳梗塞や交通事故による足指等の障害による変形があっても、靴を履いて歩行することにより、障害を矯正することができる身体障害者用シューズに関するものである。
【０００２】
さらに、本発明は、靴底や底部材が足や足指にフィットするように鼻緒の位置を変えることができるシューズおよびサンダルに関するものである。なお、本明細書および特許請求の範囲において、「靴底」は、靴底の足載置面、地面との接地面、甲被を接続する接続部も含んでいる。
【背景技術】
【０００３】
従来のシューズやサンダルは、足底に当たる面に凹凸を形成し、足の疲労感を軽減するものや、健康増進につながるものがある。たとえば、実開昭６３−９５８０６号公報に記載されている健康増進用の靴は、靴内に鼻緒を設けることにより、足指に力がはいり、足裏全体の筋肉が動いて屈伸することができるため、偏平足の矯正を行うことができるだけでなく、心地よい刺激を受け、健康を増進させることができる。
【０００４】
また、登録実用新案公報第３０２３７２７号に記載されている鼻緒代用突部と衝撃吸収部を設けてなる靴中敷は、第１指と第２指との間にＴ字状の鼻緒代用突起が装着されている。前記考案は、靴と足との間に良くフィットしてグリップ感があり、爪先のコントロールを良くして足の踏ん張りが効き、かつクッション性を有する履き心地のよい軽快な歩行が可能であるというものである。
【特許文献１】実開昭６３−９５８０６号公報
【特許文献２】登録実用新案公報第３０２３７２７号
【発明の開示】
【発明が解決しようとする課題】
【０００５】
前記特許文献１に記載された健康増進用の靴は、あくまで、健康増進だけが目的であり、障害のある足指を考慮したものではない。また、前記特許文献１に記載された健康増進用の靴は、足指に障害のある者に対する履き易さ、あるいは介護を行う者が障害者に履かせる際の苦労等を考慮したものでもない。さらに、前記特許文献１に記載された健康増進用の靴は、障害がある足指を矯正しようとするものでもない。
【０００６】
同様に、前記特許文献２に記載された鼻緒代用突部と衝撃吸収部を設けてなる靴中敷は、歩き易さや疲労を少なくするというものであり、障害のある足指の矯正や障害者が履き易いようにするものでもない。また、前記特許文献２に記載された考案は、障害がある足指を矯正しようとするものではない。
【０００７】
以上のような課題を解決するために、本発明は、足指に障害のある障害者が履き易く、かつ介護人が前記障害者に履かせ易く、歩行訓練等のリハビリテーションができるだけでなく、足指の変形を矯正することができる身体障害者用シューズを提供することを目的とする。本発明は、足の全ての指にフィットさせることにより、足指の矯正、運動競技あるいは力仕事等に適したシューズまたはサンダルを提供することを目的とする。
【課題を解決するための手段】
【０００８】
（第１発明）
第１発明の身体障害者用シューズは、前部甲被と、前記前部甲被と一部で繋がっているとともに、足を入れる履き口を備えた後部甲被と、前記前部甲被と後部甲被によって覆われる靴底と、前記前部甲被および後部甲被が前記靴底から別々に着脱可能にする複数のファスナとから少なくとも構成されていることを特徴とする。
【０００９】
（第２発明）
第２発明の身体障害者用シューズは、前部甲被と、前記前部甲被と一部で繋がっているとともに、足を入れる履き口を備えた後部甲被と、前記前部甲被と後部甲被によって覆われる靴底と、前記前部甲被を前記靴底から着脱可能にするファスナとから少なくとも構成されていることを特徴とする。
【００１０】
（第３発明）
第３発明の身体障害者用シューズは、前部甲被と、前記前部甲被と一部で繋がっているとともに、足を入れる履き口を備えた後部甲被と、前記前部甲被と後部甲被によって覆われる靴底と、前記後部甲被を前記靴底から着脱可能にするファスナとから少なくとも構成されていることを特徴とする。
【００１１】
（第４発明）
第４発明の身体障害者用シューズは、第１発明から第３発明の前部甲被の上部に上部甲被が設けられ、二つのファスナによって前記履き口を大きくする際に、一部が前部甲被と繋がっていることを特徴とする。
【００１２】
（第５発明）
第５発明の身体障害者用シューズは、第１発明から第３発明の前部甲被の上部に上部甲被が設けられ、一つのファスナによって、前記上部甲被を二分して前記履き口をより大きくできることを特徴とする。
【００１３】
（第６発明）
第６発明の身体障害者用シューズは、第１発明から第５発明における後部甲被の最後部において、後部マジックファスナによって開閉できることを特徴とする。
【００１４】
（第７発明）
第７発明の身体障害者用シューズは、第１発明から第６発明における靴底の足載置面に鼻緒が設けられていることを特徴とする。
【００１５】
（第８発明）
第８発明の身体障害者用シューズは、第１発明から第７発明の鼻緒に各指の間に入る指鼻緒が設けられていることを特徴とする。
【００１６】
（第９発明）
第９発明の身体障害者用シューズにおいて、第７発明または第８発明の鼻緒の結び目は、前記靴底の開口部の下部に設けられた結び目収納凹部に収納されることを特徴とする。
【００１７】
（第１０発明）
第１０発明の身体障害者用シューズにおいて、第７発明から第９発明の靴底の開口部は、指の数より多く設けられ、指鼻緒の位置を変えることができることを特徴とする。
【００１８】
（第１１発明）
第１１発明の身体障害者用シューズは、第１発明から第１０発明において、室内履きであることを特徴とする。
【００１９】
（第１２発明）
第１２発明のシューズは、前部甲被と、前記前部甲被と繋がっている足を入れる履き口を備えた後部甲被と、前記前部甲被と後部甲被によって覆われる靴底と、前記靴底の足載置面には、各指の間に入る指鼻緒を備えた鼻緒とからなることを特徴とする。
【００２０】
（第１３発明）
第１３発明のシューズにおいて、第１２発明の鼻緒および指鼻緒の結び目は、前記靴底の開口部の下部に設けられた結び目収納凹部に収納されていることを特徴とする。
【００２１】
（第１４発明）
第１４発明のシューズにおいて、第１２発明または第１３発明の靴底の開口部は、指の数より多く設けられ、指鼻緒の位置を任意に変えることができることを特徴とする。
【００２２】
（第１５発明）
第１５発明のサンダルは、底部材と、前記底部材に設けられ、各指の間に入る指鼻緒が設けられている鼻緒とを少なくとも備えていることを特徴とする。
【００２３】
（第１６発明）
第１６発明のサンダルにおいて、第１５発明における鼻緒の結び目は、前記底部材における開口部の下部に設けられた結び目収納凹部に収納されることを特徴とする。
【００２４】
（第１７発明）
第１７発明のサンダルにおいて、第１５発明または第１６発明における底部材の開口部は、指の数より多く設けられ、指鼻緒の位置を変えることができることを特徴とする。
【発明の効果】
【００２５】
本発明によれば、前部甲被および後部甲被のそれぞれにファスナを設けているため、必要に応じて、前記前部甲被または後部甲被を別々に開けることができ、身体障害者の足を靴底の正しい位置に固定させることが容易にできる。
【００２６】
本発明によれば、前部甲被に設けられている上部甲被や、後部甲被の最後部に設けられたファスナにより、履き口を大きくすることができるため、身体障害者が履き易く、介護人も履かせ易くなる。
【００２７】
本発明によれば、靴の履き口をより大きくできるため、身体障害者の足が容易に靴の正しい位置に入り、かつ、正しい位置に固定することができるため、障害のある足指のリハビリテーションに適している。
【００２８】
本発明によれば、指鼻緒を五本の指に分かれて入れることができるため、曲がった身体障害者の足指を正しい位置で固定することになり、矯正が容易にできる。
【００２９】
本発明によれば、多数ある鼻緒の結び目が結び目収納凹部に収納されるため、靴底が鼻緒の結び目により凸凹となることがなく、身体障害者の歩行に支障を来すことがない。
【００３０】
本発明によれば、靴底に設けられた開口部が指の数より多く設けられているため、指鼻緒の位置を身体障害者の足指の障害に応じて位置を変えることができる。
【００３１】
本発明によれば、シューズまたはサンダルにおいて、靴底あるいは底部材の足載置面に、指の数だけ設けられた指鼻緒からなる鼻緒が設けられているため、足の指が全部底部材に固定されるため、運動競技用、登山用、あるいは力仕事用等に使用することができる。
【００３２】
本発明によれば、シューズまたはサンダルにおいて、靴底または底部材に指の数より多くの開口部を設け、前記開口部の位置により、指鼻緒を所望の位置に変えることができるため、障害の治り方により、指鼻緒の位置を変えることができるだけでなく、前記指鼻緒の位置を変えることにより、歩行訓練や運動競技の疲労度によっても変えることができる。
【発明を実施するための最良の形態】
【００３３】
（第１発明）
第１発明の身体障害者用シューズは、前部甲被と、後部甲被と、前記前部甲被および後部甲被によって覆われる靴底と、前記靴底から前記各甲被を着脱するファスナとから少なくとも構成されている。前部甲被と後部甲被とは、一部で繋がっている。また、前記後部甲被には、足を入れる履き口が備えられている。本明細書において、「靴底」なる文言は、地面に触れる部分のみを意味していない。前記「靴底」は、地面に触れる部分、足が載置する面、あるいは甲被と接続する部分も含む広い意味である。
【００３４】
前記ファスナは、必要に応じて、前部甲被または後部甲被を別々に開けることができるため、身体障害者の足を靴底の正しい位置に固定するための作業が容易になる。
【００３５】
（第２発明）
第２発明の身体障害者用シューズは、前部甲被と後部甲被とが靴底を覆っている点で第１発明と共通しているが、前記前部甲被を前記靴底から着脱可能にするファスナが備えられている点でのみ第１発明と異なっている。第２発明は、前記前部甲被のみを開けるだけでもよい場合に、第１発明より安価に製造することができる。
【００３６】
（第３発明）
第３発明の身体障害者用シューズは、前部甲被と後部甲被とが靴底を覆っている点で第１発明および第２発明と共通しているが、前記後部甲被を前記靴底から着脱可能にするファスナが備えられている点でのみ第１発明および第２発明と異なっている。第３発明は、前記後部甲被のみを開けるだけでよい場合に、第１発明より安価に製造することができる。
【００３７】
（第４発明）
第４発明の身体障害者用シューズは、前部甲被の上部に上部甲被が設けられ、二つの平行に設けられたファスナによって、前記履き口の前部を大きく開けることができる。また、ファスナによって履き口を大きくした前記上部甲被は、その一部が前部甲被と繋がっているため、身体障害者が靴を履いた後、前記ファスナを閉じることにより、通常の靴と同じになる。
【００３８】
（第５発明）
第５発明の身体障害者用シューズは、足を靴底の正しい位置に載置できるように前部甲被の上部に設けられた上部甲被の略中央に縦方向に、一つのファスナによって、前記上部甲被を二分するように開くことができる。前記ファスナは、第４発明と同様に、履き口をより大きくすることができるため、身体障害者の足を靴の正しい位置に容易に載置することができる。
【００３９】
（第６発明）
第６発明の身体障害者用シューズは、後部甲被における最後部において、後部マジックファスナによって開閉できる。前記後部マジックファスナは、前記靴の履き口をより大きくできるため、身体障害者の足を容易に靴の正しい位置に入れることができる。
【００４０】
第４発明から第６発明は、靴の甲被の開ける場所を上部甲被あるいは後部甲被の最後部とする等、履き口の大きさや位置を変えることにより、身体障害者の障害場所または障害程度によって対応できるようになっている。前記後部マジックファスナは、他のジッパー式のファスナと異なり、前記履き口を狭めるようにすることもできるため、履いた後において、靴を足に良くフィットさせることができる。
【００４１】
（第７発明）
第７発明の身体障害者用シューズは、靴底の足載置面に、鼻緒が設けられている。前記鼻緒は、身体障害者の足指が多少曲げられた障害であっても、正しい位置に固定することができるため、足や指の変形を矯正するのに都合がよい。
【００４２】
（第８発明）
第８発明の身体障害者用シューズは、靴底の足載置面に取り付けられる鼻緒に指用の指鼻緒が設けられている。前記指鼻緒は、五本の指が分かれて入るようにメインの鼻緒から出ている。前記指鼻緒は、曲がった身体障害者の足指を正しい位置で固定することになり、矯正することができる。
【００４３】
第７発明および第８発明は、ファスナにより前部甲被および後部甲被が開けた状態で行うことができるため、身体障害者または介護人が容易に足指を正しい位置に固定することができる。
【００４４】
（第９発明）
第９発明の身体障害者用シューズは、鼻緒の結び目が靴底の開口部に挿入された後、前記開口部の下部に設けられた結び目収納凹部に収納される。前記鼻緒の結び目が結び目収納凹部に収納されるため、靴底が鼻緒の結び目により凸凹となることがなく、身体障害者の歩行に支障を来すことがない。
【００４５】
（第１０発明）
第１０発明の身体障害者用シューズは、靴底に設けられた開口部が指の数より多く設けられているため、指鼻緒の位置を身体障害者の足指の障害に応じて位置を変えることができる。
【００４６】
（第１１発明）
第１１発明の身体障害者用シューズは、鼻緒があるにもかかわらず、靴底の底部である接地面が平らになっているため、室内において、リハビリテーションに使用するのに最適である。
【００４７】
（第１２発明）
第１２発明のシューズは、前部甲被と、前記前部甲被と繋がっている足を入れる履き口を備えた後部甲被と、前記前部甲被と後部甲被によって覆われる靴底と、からなる点では通常の靴と同じである。第１２発明のシューズは、前記靴底の足載置面に、指の数だけ設けられた指鼻緒からなる鼻緒が設けられている点で異なっている。
【００４８】
前記靴内の指鼻緒を備えた鼻緒は、足の指が全部靴の底に固定されるため、運動競技用、登山用、あるいは力仕事用等に使用することができる。第１２発明のシューズは、足の指が前記指鼻緒によって全部固定できるため、軽度の障害がある者であっても、履き易く脱げ難いので、歩行練習や運動競技に適している。
【００４９】
（第１３発明）
第１３発明のシューズは、鼻緒の結び目が靴底の開口部の下部に設けられた結び目収納凹部に収納される。また、前記結び目収納凹部は、必要に応じて、接着剤等により封止することにより、靴の内部に水が入らないようにする。
【００５０】
（第１４発明）
第１４発明のシューズは、靴底に指の数より多くの開口部を設け、前記開口部の位置により、指鼻緒を所望の位置に変えることができる。前記指鼻緒は、位置を変えることにより、障害の治り方により、指鼻緒の位置を変えることができる。また、前記指鼻緒の位置は、歩行訓練の程度や運動競技の疲労度によって変えることもできる。
【００５１】
（第１５発明）
第１５発明のサンダルは、底部材と、前記底部材に取り付けられた鼻緒から構成され、さらに、前記鼻緒に各指の間に入る指鼻緒が設けられている。前記サンダルは、簡単に履くことができるとともに、簡単に脱げないので、軽い割に歩行訓練が容易にできる。
【００５２】
（第１６発明）
第１６発明のサンダルは、鼻緒の結び目が底部材に設けられた開口部の下部に形成された結び目収納凹部に収納される。前記サンダルは、鼻緒の結び目を収納する凹部を有するため、底部が平らであり、歩行に支障を来さない。
【００５３】
（第１７発明）
第１７発明のサンダルは、底部材に開けられた開口部が指の数より多いため、指鼻緒の位置を変えて、自分の足指に合わせることができるため、歩行がし易くなる。
【実施例１】
【００５４】
図１は本発明の第１実施例で、身体障害者用シューズを説明するための斜視図である。図２は本発明の第１実施例で、身体障害者用シューズを説明するための側面図である。図１および図２において、身体障害者用シューズ１１は、靴底１１１と、前部甲被１１２と、前記前部甲被１１２の上部に一部が繋がる上部甲被１１３と、前記前部甲被１１２に一部が繋がる後部甲被１１４とから構成されている。
【００５５】
前記前部甲被１１２は、前部ファスナ１１５によって、靴底１１１の前部に着脱自在に取り付けられている。前記後部甲被１１４は、後部において、左右が後部マジックファスナ１１７により開閉自在になっている。前記後部マジックファスナ１１７は、図１が閉じた状態で、図２が一部開けた状態が示されている。また、前記後部甲被１１４は、後部ファスナ１１６によって、着脱自在に取り付けられている。前記マジックファスナは、他のチャック式ファスナと異なり、互いに接着するタイプのものである。
【００５６】
前記前部甲被１１２は、上部に上部甲被１１３が一部で繋がっている。前記上部甲被１１３の両側と、前記後部甲被１１４の前部とが左上部ファスナ１１８と、右上部ファスナ１１９とにより開閉できるようになっている。履き口１２０は、前記後部マジックファスナ１１７、および前記左上部ファスナ１１８と前記右上部ファスナ１１９を開くことにより、障害のある足を容易に出し入れすることができる。
【実施例２】
【００５７】
図３は本発明の第２実施例で、身体障害者用シューズの靴底に鼻緒が設けられている例を説明するための切欠き図である。図３において、靴底１１１の足載置面には、鼻緒３１が取り付けられている。前記鼻緒３１は、側部鼻緒３１１と、前部鼻緒３１２と、少なくとも指の数だけ設けられた指鼻緒３１３とからなる。
【００５８】
前記鼻緒３１の結び目３１６は、靴底１１１の開口部３１４に設けられた結び目収納凹部３１５に収納される。したがって、靴底１１１の接地面は、鼻緒３１を設けたにもかかわらず、平らであり、歩行に支障を来すことがない。
【実施例３】
【００５９】
図４は本発明の第３実施例で、身体障害者用シューズの別の例を説明するための上面図である。図４において、第１実施例と異なるところは、上部甲被１１３の中央部に中央ファスナ４１を設けた点である。前記中央ファスナ４１は、必要に応じて、図１に示された前記左上部ファスナ１１８および右上部ファスナ１１９の中央部で、かつ、少し長目の１本からなる。前記中央ファスナ４１は、後部マジックファスナ１１７とともに履き口１２０を大きく開くことができるので、障害者の足を出し入れするのに都合がよい。
【００６０】
図５は本発明の前部甲被を開けて、鼻緒の位置を調整する状態を説明するための斜視図である。図５において、身体障害者用シューズ１１は、前部ファスナ１１５を開いた状態であり、鼻緒３１の前部鼻緒３１２が見える状態になっている。前記状態は、前部鼻緒３１２や指鼻緒３１３の位置を変えるのに都合が良い。また、前記身体障害者用シューズ１１は、後部ファスナ１１６を設けずに、前記前部ファスナ１１５のみであっても良い。
【００６１】
図６は本発明の後部甲被を開けて鼻緒の下部を調整する状態を説明するための他の斜視図である。図６において、身体障害者用シューズ１１は、後部ファスナ１１６と、後部マジックファスナ１１７とが開かれた状態を示している。鼻緒３１は、図６の状態で位置を変えることができる。また、前記身体障害者用シューズ１１は、前部ファスナ１１５を設けずに、前記後部ファスナ１１６のみであっても良い。
【００６２】
図７は本発明の上部甲被を開けて履き口を大きくした状態を説明するための斜視図である。図７において、身体障害者用シューズ１１は、上部甲被１１３を開けた状態を示している。前記状態は、鼻緒３１の位置を直すことができるだけでなく、障害のある足を挿入し易くなっている。
【実施例４】
【００６３】
図８は本発明の第４実施例で、靴底に鼻緒を設けた例を説明するための平面図である。図９は本発明の第４実施例で、靴底に鼻緒を設けた例を説明する底面図である。図８および図９において、鼻緒３１は、前述のように、側部鼻緒３１１と、前部鼻緒３１２と、少なくとも指の数だけ設けられた指鼻緒３１３とからなり、靴底１１１の足載置面に取り付けられている。
【００６４】
また、靴底１１１の足載置面には、前記各鼻緒３１が入る以上の個数からなる靴底開口部３１４が設けられている。前記靴底開口部３１４は、靴底１１１の接地面において、鼻緒３１の結び目を収納する結び目収納凹部３１５が設けられている。前記結び目収納凹部３１５には、鼻緒３１の結び目が収納されることにより、前記底側が平面になり、歩行時に障害が起こらないようになっている。
【産業上の利用可能性】
【００６５】
以上、本実施例を詳述したが、本発明は、前記本実施例に限定されるものではなく、特許請求の範囲に記載されている事項を逸脱することがなければ、種々の設計変更を行うことが可能である。本実施例は、甲被を外すことにより、鼻緒を利用したサンダルとして使用できる。前記サンダルの底部材は、本明細書において、靴底と同様に、足載置面、地面との接地面、鼻緒等の接続部等を含むものである。また、たとえば、本発明の甲被、靴底、鼻緒、あるいはファスナ等は、公知または周知の素材を使用することができる。
【図面の簡単な説明】
【００６６】
【図１】本発明の第１実施例で、身体障害者用シューズを説明するための斜視図である。（実施例１）
【図２】本発明の第１実施例で、身体障害者用シューズを説明するための側面図である。
【図３】本発明の第２実施例で、身体障害者用シューズの靴底に鼻緒が設けられている例を説明するための切欠き図である。（実施例２）
【図４】本発明の第３実施例で、身体障害者用シューズの別の例を説明するための上面図である。（実施例３）
【図５】本発明の前部甲被を開けて、鼻緒の位置を調整する状態を説明するための斜視図である。
【図６】本発明の後部甲被を開けて鼻緒の下部を調整する状態を説明するための他の斜視図である。
【図７】本発明の上部甲被を開けて履き口を大きくした状態を説明するための斜視図である。
【図８】本発明の第４実施例で、靴底に鼻緒を設けた例を説明するための平面図である。（実施例４）
【図９】本発明の第４実施例で、靴底に鼻緒を設けた例を説明する底面図である。
【符号の説明】
【００６７】
１１・・・身体障害者用シューズ
１１１・・・靴底
１１２・・・前部甲被
１１３・・・上部甲被
１１４・・・後部甲被
１１５・・・前部ファスナ
１１６・・・後部ファスナ
１１７・・・後部マジックファスナ
１１８・・・左上部ファスナ
１１９・・・右上部ファスナ
１２０・・・履き口
３１・・・鼻緒
３１１・・・側部鼻緒
３１２・・・前部鼻緒
３１３・・・指鼻緒
３１４・・・靴底開口部
３１５・・・結び目収納凹部
３１６・・・結び目
４１・・・中央ファスナ
【図１】
2006006577.tif 000003
【図２】
2006006577.tif 000004
【図３】
2006006577.tif 000005
【図４】
2006006577.tif 000006
【図５】
2006006577.tif 000007
【図６】
2006006577.tif 000008
【図７】
2006006577.tif 000009
【図８】
2006006577.tif 000010
【図９】
2006006577.tif 000011